(57)【要約】【課題】  有機顔料を含む湿式トナー及びその製造方法を提供する。【解決手段】  カウリブタノールナンバーが約３０ｍＬ未満である液体キャリアと，液体キャリアに分散された複数のトナー粒子と，を含む湿式電子記録用のトナー組成物。トナー粒子は，重合体バインダーと，第２イオン性染料成分と所定の割合でイオン結合型錯化されて所定のカラーを表すイオン結合型錯化着色剤化合物を形成する第１イオン性染料成分を含む顔料とを含む。着色剤化合物は約５０００ダルトン未満の分子量を持って着色剤化合物と共有結合しない金属を実質的に含有していない。所定のカラーを着色剤組成物中に示すように錯化された第１イオン性染料成分及び第２イオン性染料成分を含む顔料を含むトナーも提供される。トナーの製造方法及び使用方法もまた記載されている。【選択図】    なし【特許請求の範囲】
【請求項１】
（ａ）カウリブタノールナンバーが３０ｍＬ未満である液体キャリアと，
（ｂ）前記液体キャリアに分散された複数のトナー粒子と，を含む湿式電子記録用のトナー組成物であって，
前記トナー粒子は，
（ｉ）重合体バインダーと，
（ｉｉ）第２イオン性染料成分と所定の割合でイオン結合型錯化されて所定のカラーを表すイオン結合型錯化着色剤化合物を形成する第１イオン性染料成分を含む顔料と，を含み，前記着色剤化合物は５０００ダルトン未満の分子量を持ち，前記着色剤化合物と共有結合しない金属を実質的に含有していないことを特徴とする，湿式電子記録用のトナー組成物。
【請求項２】
前記着色剤化合物は，３０００ダルトン未満の分子量を持つことを特徴とする請求項１に記載の湿式電子記録用のトナー組成物。
【請求項３】
前記着色剤化合物は，２０００ダルトン未満の分子量を持つことを特徴とする請求項１に記載の湿式電子記録用のトナー組成物。
【請求項４】
前記第１イオン性染料成分と前記第２イオン性染料成分とが相異なる電荷を持つことを特徴とする請求項１に記載の湿式電子記録用のトナー組成物。
【請求項５】
前記第１イオン性染料成分と前記第２イオン性染料成分とが同じ電荷を持ち，前記第１イオン性染料成分及び前記第２イオン性染料成分が無色の対イオンとイオン結合型錯化されたことを特徴とする請求項１に記載の湿式電子記録用のトナー組成物。
【請求項６】
前記第１イオン性染料成分と前記第２イオン性染料成分とが約１０ΔＥ＊ユニット以上のカラー差を示すことを特徴とする請求項１に記載の湿式電子記録用のトナー組成物。
【請求項７】
前記第１イオン性染料成分と前記第２イオン性染料成分とが約２０ΔＥ＊ユニット以上のカラー差を示すことを特徴とする請求項１に記載の湿式電子記録用のトナー組成物。
【請求項８】
前記染料成分のうち一つ以上は複数のイオン性作用基を含むことを特徴とする請求項１に記載の湿式電子記録用のトナー組成物。
【請求項９】
前記着色剤化合物が無色の対イオンを一つ以上含むことを特徴とする請求項１に記載の湿式電子記録用のトナー組成物。
【請求項１０】
前記着色剤化合物のあらゆる染料成分が互いに約１０ΔＥ＊ユニット未満のカラー差を示すことを特徴とする請求項１に記載の湿式電子記録用のトナー組成物。
【請求項１１】
前記着色剤化合物が第３イオン性染料成分をさらに含むことを特徴とする請求項１に記載の湿式電子記録用のトナー組成物。
【請求項１２】
（ａ）カウリブタノールナンバーが３０ｍＬ未満である液体キャリアと，
（ｂ）前記液体キャリアに分散された複数のトナー粒子と，を含む湿式電子記録用のトナー組成物であって，
前記トナー粒子は，
（ｉ）重合体バインダーと，
（ｉｉ）着色剤組成物で所定のカラーを表すイオン結合型錯化化合物を形成するように錯化された第１イオン性染料成分と第２イオン性染料成分とを含む有機顔料を含み，前記イオン結合型錯化化合物それぞれは５０００ダルトン未満の分子量を持ち，前記イオン結合型錯化化合物と共有結合しない金属を実質的に含有していないことを特徴とする湿式電子記録用のトナー組成物。
【請求項１３】
前記第１イオン性染料成分及び前記第２対イオン染料成分は，約１０ΔＥ＊ユニット以上のカラー差を示すことを特徴とする請求項１２に記載の湿式電子記録用のトナー組成物。
【請求項１４】
前記有機顔料は，第３イオン性染料成分をさらに含むことを特徴とする請求項１２に記載の湿式電子記録用のトナー組成物。
【請求項１５】
（ａ）（ｉ）鮮明なカラー特性を持つ第１イオン性染料成分を同定する段階と，
（ｉｉ）公知のカラー特性を持つ第２イオン性染料成分を同定する段階と，
（ｉｉｉ）顔料に要求される所定のカラーを得るために必要な，前記第１イオン性染料成分と前記第２イオン性染料成分との比率を決定する段階と，
（ｉｖ）前記第１イオン性染料成分と前記第２イオン性染料成分とを錯化して所定のカラーを表すイオン結合型錯化着色剤化合物を形成する段階であって，前記着色剤化合物は５０００ダルトン未満の分子量を持ち，前記着色剤化合物と共有結合しない金属を実質的に含有していないイオン結合型錯化着色剤化合物の形成段階と，よりなる所定のカラーを持つ顔料を製造する段階と，
（ｂ）バインダーを提供する段階と，
（ｃ）キャリア液体を提供する段階と，
（ｄ）前記バインダー，前記顔料及び前記キャリア液体を湿式トナー組成物の製造方法によって結合する段階と，を含むトナー製造方法。
【請求項１６】
（ａ）（ｉ）鮮明なカラー特性を持つ第１イオン性染料成分を同定する段階と，
（ｉｉ）公知のカラー特性を持つ第２イオン性染料成分を同定する段階と，
（ｉｉｉ）顔料に要求される所定のカラーを得るために必要な，前記第１イオン性染料成分と前記第２イオン性染料成分との比率を決定する段階と，
（ｉｖ）前記第１イオン性染料成分と前記第２イオン性染料成分とを錯化して着色剤組成物のうち所定のカラーを表すイオン結合型錯化着色剤化合物を形成する段階であって，前記イオン結合型錯化着色剤化合物は５０００ダルトン未満の分子量を持って前記着色剤化合物と共有結合しない金属を実質的に含有していないイオン結合型錯化着色剤化合物の形成段階と，よりなる所定のカラーを持つ顔料を製造する段階と，
（ｂ）バインダーを提供する段階と，
（ｃ）キャリア液体を提供する段階と，
（ｄ）前記バインダー，前記顔料及び前記キャリア液体を湿式トナー組成物の製造方法によって結合する段階と，を含むトナー製造方法。
【請求項１７】
請求項１に記載のトナーを利用して画像を電子記録法によって基材上にプリントすることを含む画像形成方法。
【請求項１８】
前記画像を電子写真法によってプリントすることを特徴とする請求項１７に記載の画像形成方法。
【請求項１９】
前記画像を静電気的方法によってプリントすることを特徴とする請求項１７に記載の画像形成方法。
【請求項２０】
請求項１２に記載のトナーを利用して画像を電子記録法によって基材上にプリントすることを含む画像形成方法。
【発明の詳細な説明】
【技術分野】
【０００１】
本発明はトナーに関し，より具体的には，湿式電子記録用のトナー組成物，トナー製造方法および画像形成方法に関する。
【背景技術】
【０００２】
電子写真工程及び静電気的プリンティング工程において（通称，これらを電磁気録工程という），静電気的画像はそれぞれ感光要素または誘電要素の表面に形成される。静電気的プリンティングにおいて潜像は，通常，（１）選択された領域の誘電要素（通常，受容基材である）上に静電気的ライティングスタイラスまたはその等価物を利用して電荷画像を位置させて電荷画像を形成し，（２）トナーを電荷画像に加えた後，（３）トナー画像を定着させることによって形成される。このような類型の工程の一例は特許文献１に記載されている。ゼログラフィともいう電子写真プリンティングにおいて，電子写真法は紙，フィルムなどの最終画像受容体上に画像を形成するのに使われる。また，電子写真法は写真複写機，レーザープリンタ，ＦＡＸなどを含む多様な装置に使われる。
【０００３】
電子写真法は，通常，最終永久画像受容体上に電子写真画像を形成する工程で感光体として知られている，再使用可能であり感光性の一時的画像受容体を使用することを含む。代表的な電子写真工程は帯電，露光，現像，転写，定着及びクリーニングと除電を含み，受容体上に画像を形成するための一連の段階を含む。
【０００４】
帯電段階で，感光体は通常コロナまたは帯電ローラにより（−）極性または（＋）極性の所望の極性の電荷で塗布される。露光段階では，光学システム，通常レーザースキャナまたはダイオード配列は，最終画像受容体上に形成される目的画像に対応する画像方式で感光体の帯電表面を選択的に放電させて潜像を形成する。現像段階では，適当な極性のトナー粒子が感光体上の潜像と接触するが，この時，トナー極性とは反対の極性を持つ電気的にバイアスされた現像器を使用する。トナー粒子は感光体に移動して静電力によって潜像に選択的に付着されて感光体上にトナー画像を形成する。
【０００５】
転写段階では，トナー画像が感光体から目的とする最終画像受容体に転写されるが，この時，感光体から転写されたトナー画像を続けて最終画像受容体に転写するための中間転写要素が使われることもある。定着段階では，最終画像受容体上のトナー画像は加熱されてトナー粒子を軟化または溶融させてトナー画像を最終受容体に定着させる。他の定着方法は，熱が存在または非存在する高圧下で最終受容体にトナーを定着させるものを含む。クリーニング段階では，感光体に残っている残留トナーが除去される。
【０００６】
最後に除電段階では，感光体電荷は特定波長帯の光に露出されて実質的には均一な低い値に減少し，本来潜像の残留物が除去されることによって感光体が次の画像形成サイクルを備えるようになる。
【０００７】
２タイプのトナー，すなわち，湿式トナーと乾式トナーとが広範囲に商業的に使われている。「乾式」という用語は，乾式トナーが液体成分を全く含有していないということを意味するものではなく，トナー粒子が有意義なレベルの溶媒，例えば通常的に１０重量％未満の溶媒を含有していないということを意味し（一般的に乾式トナーは溶媒含有量で表した時に実質的に乾式である），摩擦帯電電荷を伴えるということを意味する。これにより，乾式トナー粒子と湿式トナー粒子は区別される。
【０００８】
通常，湿式トナー組成物は一般的に液体キャリアに懸濁または分散されたトナー粒子を含む。液体キャリアは通常非導電性分散剤であるため，静電気的潜像を放電させることを回避できる。湿式トナー粒子は一般的に液体キャリア（またはキャリア液体）にある程度溶媒化されるが，通常５０重量％を超過する低極性，低誘電定数の実質的に非水性のキャリア溶媒で溶媒化される。湿式トナー粒子は一般的にキャリア溶媒で解離される極性基を使用して化学的に帯電されるが，液体キャリアに可溶化及び／または分散される間に摩擦帯電電荷を伴わない。湿式トナー粒子はまた乾式トナー粒子よりさらに小さい。約５ミクロンないしサブミクロンでその粒径が小さいために，湿式トナーは非常に高解像度のトナー画像を形成できる。
【０００９】
湿式トナー組成物に使われる代表的なトナー粒子は，視覚改善添加剤，例えば有色顔料粒子及び重合体バインダーを含む。重合体バインダーは電子写真工程中及びその工程後のいずれの場合にも機能性を満足させる。加工性面で，バインダー特性はトナー粒子の帯電及び電荷安定性，流動性及び定着性に影響を与える。このような特性は現像，転写及び定着工程中に優秀な性能を達成するのに重要な役割をする。画像が最終受容体に形成された後，バインダーの性質（例えば，ガラス転移温度，溶融粘度，分子量）及び定着条件（例えば，温度，圧力及び定着器の配置）は耐久性（例えば，耐ブロッキング性及び耐削除性），受容体に対する付着力，光沢などに影響を与える。
【００１０】
従来，トナーに使われた有色顔料粒子は，その特徴によって染料，顔料及びレーキに分類される。ウェブスター辞典辞書によれば，染料は「例えば，織物または毛髪を染色または着色するのに使われ，一般的には可溶性の物質」と定義される。また，顔料は「乾式着色剤（特に，ペイントなどを製造する液体に混合される不溶性粉末）」と定義されている。レーキは「沈殿法によって複数の着色剤を金属オキシドまたは土金属，特に水化アルミニウムと組み合わせて形成された顔料であって，マッダーレーキ，フロランティーヌレーキ（Ｆｌｏｒｅｎｔｉｎｅ  ｌａｋｅ），イエローレーキなど」と定義されている。レーキ顔料は可溶性有機染料を不溶性無機吸着基質上に沈殿させて製造される。顔料は，例えば明礬（ａｌｕｍ）などが，染料を含有する水溶液及び炭酸ナトリウムまたは炭酸カリウムのような一つ以上の他の化学物質に添加される時に起きる化学反応によって形成される。
【００１１】
永久顔料は多様な分野で持続的なカラーを提供するように当業界で研究されているものである。例えば，特許文献２には，特定陽イオン性染料を特定アミンカラー増進剤の存在下で複合ヘテロ多重酸を含有した水溶液から沈殿させて永久顔料を製造することが開示されている。この顔料は高品質リソグラフィーインクの製造時に有効であると記述されている。
【００１２】
結合された染料を含む着色剤は，静電気的記録プリンティング工程及び複写工程に使われるトナーに含まれうる。例えば，特許文献３には樹脂，帯電増進添加剤，イオンバインディング重合体，及びイオンバインディング重合体と結合された一つ以上のイオン性染料を含むトナー組成物が開示されている。イオン性染料は帯電増進添加剤とは相異なる成分であり，トナー組成物に安定的に分散されている。
【００１３】
また，特許文献４には，一つ以上の４級アンモニウム基，あるいは陽性子化されたまたは陽性子化可能な３次アミノ基を含む陽イオン性染料及び選択的に（予備）還元された硫黄染料のラジカルである一つ以上の発色ラジカルを開示しており，その前駆物質は塩基性２次アミノ基である陽イオン基を含む。このような染料は陰イオン性析出剤と結合して水不溶性染料を形成できると記述されている。特許文献４の１５，３７〜５０行によれば，析出剤の例には他の例のうちでも陰イオン性染料が含まれる。
【００１４】
また，特許文献５には，カラー電子写真画像形成分野に利用されるトナー粒子を開示している。このトナー粒子は実質的に非晶質のポリエステル系であって，これは着色剤と反応して着色されたポリエステル粒子を形成できる作用基を含み，以後に追加処理されてトナー組成物に統合される。
【００１５】
【特許文献１】米国特許第５，２６２，２５９号明細書
【特許文献２】米国特許第４，５７６，６４９号明細書
【特許文献３】米国特許第５，４３４，０３０号明細書
【特許文献４】米国特許第５，７６６，２６９号明細書
【特許文献５】米国特許第６，００１，５２４号明細書
【発明の開示】
【発明が解決しようとする課題】
【００１６】
本発明が解決しようとする技術的課題は，高品質の色相を表す湿式電子記録用のトナー組成物，トナー製造方法および画像形成方法を提供することである。
【課題を解決するための手段】
【００１７】
上記課題を解決するために，本発明のある観点によれば，（ａ）カウリブタノールナンバーが約３０ｍＬ未満である液体キャリアと，（ｂ）液体キャリアに分散された複数のトナー粒子と，を含む湿式電子記録用のトナー組成物であって，トナー粒子は，（ｉ）重合体バインダーと，（ｉｉ）第２イオン性染料成分と所定の割合でイオン結合型錯化されて所定のカラーを表すイオン結合型錯化着色剤化合物を形成する第１イオン性染料成分を含む顔料を含み，着色剤化合物は約５０００ダルトン未満の分子量を持って着色剤化合物と共有結合しない金属を実質的に含有していないことを特徴とする湿式電子記録用のトナー組成物が提供される。
【００１８】
上記課題を解決するために，本発明の別の観点によれば，（ａ）（ｉ）鮮明なカラー特性を持つ第１イオン性染料成分を同定する段階と，（ｉｉ）公知のカラー特性を持つ第２イオン性染料成分を同定する段階と，（ｉｉｉ）顔料に要求される所定のカラーを得るために必要な，第１イオン性染料成分と第２イオン性染料成分との比率を決定する段階と，（ｉｖ）第１イオン性染料成分と第２イオン性染料成分とを錯化して所定のカラーを表すイオン結合型錯化着色剤化合物を形成する段階であって，着色剤化合物は約５０００ダルトン未満の分子量を持って着色剤化合物と共有結合しない金属を実質的に含有していないイオン結合型錯化着色剤化合物の形成段階と，よりなる所定のカラーを持つ顔料を製造する段階と，（ｂ）バインダーを提供する段階と，（ｃ）キャリア液体を提供する段階と，（ｄ）バインダー，顔料及びキャリア液体を湿式トナー組成物の製造方法によって結合する段階と，を含むトナー製造方法が提供される。
【００１９】
上記課題を解決するために本発明の別の観点によれば，上述したトナー組成物を利用して電子記録法，電子写真法及び静電気的方法によってプリントする画像形成方法が提供される。
【００２０】
上記課題を解決するために本発明の別の観点によれば，約３０ｍＬ未満のカウリブタノールナンバーを持つ液体キャリア及び液体キャリアに分散された複数のトナー粒子を含む湿式電子記録用のトナー組成物が提供される。トナー粒子は重合体バインダー及び第２イオン性染料成分と所定の割合でイオン結合型錯化されて所定のカラーを示すイオン結合型錯化着色剤化合物を形成する第１イオン性染料成分を含む有機顔料を含む。上記有機顔料は約５０００ダルトン未満の分子量を持ち，着色剤化合物と共有結合しない金属を実質的に含有していない。また，上記有機顔料は液体キャリア及び水に対して不溶性である。
【００２１】
また，上記有機顔料がイオン性染料成分を含む組成物であるトナーとして，イオン性染料成分は所定の割合でイオン結合型錯化されて着色剤組成物中に所定のカラーを示すトナーが提供される。
【００２２】
また，本発明においては，複数の染料成分が無色の対イオンと錯化されうる。本発明によれば，無色の対イオン成分は使用条件下では可視光線範囲のカラーを示さない成分である。このような対イオン成分は，全体組成物に対するイオン性染料成分の望ましい比率及び濃度を容易に選択可能にしてカラー選択を容易にする。また，あらゆる染料成分は同じ電荷を持ち，無色のイオンはあらゆる染料成分に対して対イオンである。また，本発明においては，化合物は無色の対イオンを持つ第１イオン性染料成分及び第１イオン性染料成分と同じ電荷または反対電荷を持つ一つ以上の第２イオン性染料成分を含む。
【００２３】
また，上記課題を解決するために本発明の別の観点によれば，トナーの製造方法及びトナーの使用方法も提供される。
【００２４】
本発明において，本発明の組成物のカラーは，高配率で観察した場合には各カラーの不均質性が観察されることもあるが，組成物を観察する通常の条件下で観察者が組成物のカラーと見なされるカラーを指摘する方式で組成物を評価して得た鮮明なカラーとする。染料成分は通常の観察者に可視光線領域では鮮明なカラーを示すイオン（または対イオン）である。
【００２５】
本発明のトナーは，当業界で公知のものではない調製オプションを提供する顔料化学として，錯化前後に独特な溶解度特性を持つ物質を使用する独特の顔料化学を利用する。その結果，得られた着色剤はトナーの接触時に望ましくない環境，例えば，表面斑の環境下でもトナーとほとんど分離されないものと現れる。また，本発明の着色剤は水または他の特定キャリア溶媒に対して低い溶解度を持つか，またはほぼ不溶性になるように調製できる。着色剤キャリア溶媒に対する低い溶解度は，顔料と共有結合しない金属を実質的に含んでいない化合物によって達成される。したがって，本発明は「有機レーキ」を提供するが，これは無機金属対イオン，特に重金属対イオンを実質的に含んでいない顔料を意味する。
【００２６】
本発明の顔料は重合体ではないので，ミリング性，分散性，帯電性及び化学的相互作用特性において従来に達成できなかった長所を持つ。重合体ではない顔料は全体トナー粒子の溶融及び融着特性をほとんど阻害しない。また，水分反応部位の予備凝集及び維持現象は予備顔料組成物と比較して観察できる。本発明の顔料に含まれた複数の染料成分は本発明のトナー組成物に独特なカラー特性を提供する。
【００２７】
本発明はまたトナーに使われるカラー選択の幅を広げるという点で実質的な利点を提供する。着色剤は環境，特に着色剤との直接的な接触または着色剤の摂取を通じた人間の健康に及ぶ化学的な影響を測定するために常に評価せねばならない。新規のカラーの確認及び承認は非常に高コストがかかり，上述した問題点のためにクリアランス工程が導入される必要もある。本発明によれば，新たなクリアランス工程が必要な，完全に新たな分子を製造する必要なしに新規のカラーを製造できる。
【００２８】
その代わりに，新規のカラーは既知の染料分子を錯化させて形成されたものであり，部分的には既存の化学を含んで明確に新規のカラーを形成できる。また，組成物の鮮明なカラーは，本明細書に開示されたように相対的な染料含有量を調節することによって正確に所望の色調に容易に調節できる。また，染料成分が互いに錯化されるために，その結果形成されたカラーは，単純に機械的にブレンディングされた染料ブレンドで発生される相異なる染料間の比率変化を招く明らかな化学的特性と関連なく大部分の環境条件下で安定している。
【００２９】
また，着色剤化合物の大部分が鮮明なカラーを提供する物質を含むので，本発明のトナーは従来のレーキまたは他の着色剤と比較して高いカラー彩度及び／または鮮明度を示しうる。
【発明の効果】
【００３０】
本発明のイオン結合型錯化着色剤化合物は容易に製造できるものであり，カラー分離現象なしに優秀なカラーを示すので，トナー組成物などに使われて電子記録法，電子写真法または静電気的方法等によってプリンティング工程に有効に使用することができる。
【発明を実施するための最良の形態】
【００３１】
以下に，本発明の好適な実施の形態について詳細に説明する。
【００３２】
上述したように，本発明のトナーに使われる顔料は重合体成分を含んでいない。化合物のあらゆるイオン性部位は単量体物質と反応する場合にのみ完全に配位結合する傾向があるので特別な利点を持つ。したがって，さらに巨大な化合物はあらゆるイオン性部位の配位結合前の染料バインディング工程では不溶性になる傾向がある。特にアイオノマーは望ましい着色剤化合物が形成される前にあらかじめ凝集されうる。まだ錯化されていない部位が重合体成分に存在すれば水分に対して不安定な領域がさらに提供されうる。これは着色剤が，例えば皮膚接触または周囲湿度を通じて水分に露出される環境で最終的に使われる場合に特に問題を引き起こしうる。
【００３３】
これより形成された画像は，水分に対する粘性または反応性を持ちうる。また，重合体ではない着色剤化合物は望ましい大きさ及び均一度で加工，取扱い及びミリングしやすく，多様な樹脂または組成物に分散させることも容易である。また，重合体成分を含んでいない着色剤組成物はバインダーの所定の残りの成分に悪影響を及ぼしうる付加ガラス転移温度（Ｔｇ）を提供しない。着色剤化合物は，約５０００ダルトン未満の分子量をもってもよい。また，着色剤化合物は，約３０００ダルトン未満の分子量をもってもよい。
【００３４】
また，本発明のトナーに使われる顔料は１００ｐｐｍ未満の水溶解度をもってもよい。さらに，上記顔料はケトン類，アルコール類，エステル類，グリコールエーテル類及びエステル類，脂肪族炭化水素類及び芳香族炭化水素類などの多様なキャリア溶媒で１００ｐｐｍ未満の溶解度を持ってもよい。
【００３５】
本発明の着色剤は肉眼で明確に観察可能なカラーを示す。実際に示されるカラーは特定分野に適した適切な技術を利用して測定及び／または評価されうる。このようなカラー測定技術のうち一つが「Ｐｒｉｎｃｉｐｌｅｓ  ｏｆ  Ｃｏｌｏｒ  Ｔｅｃｈｎｏｌｏｇｙ」，Ｂｉｌｌｍｅｙｅｒ＆Ｓａｌｔｚｍａｎ，第２版，１９８１に記載されているＣＩＥ  Ｌ＊Ａ＊Ｂ＊カラーシステムである。このカラーシステムは３次元カラー空間に基づくが，これは赤色を表示する（＋）Ｘ軸，緑色を表示する（−）Ｘ軸，黄色を表示する（＋）Ｙ軸，青色を表示する（−）Ｙ軸及び０（黒色）から１００（白色）までつながっており，かつ５０が出発点であるＺ軸を持つ。ＣＩＥΔＥ＊（以下，ΔＥ＊という）はカラー差，すなわちＬａｂ座標によって表示される２カラー間のユークリッド距離または直線距離の測定値として定義される。
【００３６】
ＣＩＥ  Ｌａｂカラー空間は認知可能な一定カラー空間であるため，空間中２カラー間のユークリッド距離はカラー差に対して認知可能な一定測定値でありうる。ΔＥ＊は次のように計算される。
【００３７】
ΔＥ＊＝［（Ｌ１−Ｌ２）２＋（ａｌ−ａ２）２＋（ｂ１−ｂ２）２］（１／２）
上記式中，Ｌ１，ａ１及びｂ１はカラー１のＬａｂ値であり，Ｌ２，ａ２及びｂ２はカラー２のＬａｂ値である。上記測定システムにおいて，一般的に２のサンプルが約１０ΔＥ＊ユニット以上のカラー差を持つと測定された場合，カラー差は肉眼で観察できる程度である。
【００３８】
本実施例において，個別に測定された２以上の染料成分は約１０ΔＥ＊ユニット以上のカラー差を示す。したがって，これより得た着色剤錯体のカラーは各染料成分の鮮明なカラーを混合したものである。特に望ましい本発明の具体例において，２つ以上の染料成分は２０ΔＥ＊ユニット以上のカラー差を示す。したがって，上記の実施例において，各成分間のカラー差程度は観察を通じて識別できる程度に明らかである。しかし，染料成分間の近接性のために得られた着色剤の鮮明なカラーは２カラーのブレンドである。本発明の具体例は，相異なる溶解性または分散性を持つことができる２つ以上の着色剤を単純にブレンディングした場合に観察できるカラー分離問題がほとんどまたは全く発生しないながらも，高度に正確なカラーマッチング及び安定性を提供する。
【００３９】
他の実施例においては，着色剤のあらゆる染料成分は約１０ΔＥ＊ユニット未満のカラー差を示す。上記実施例で，着色剤に含まれた各染料の鮮明なカラーは外観上互いに類似している。上記実施例は肉眼観察者に非常に豊かで濃い鮮明なカラーを示す着色剤を提供する。
【００４０】
本発明のイオン性染料成分はイオン結合型錯化結合に提供されうる。例えば，上記染料成分のうち一つは陰イオン性染料であり，他の染料成分は陽イオン性染料である。本発明の他の実施形態で，第１イオン性染料成分及び第２イオン性染料成分は同じ電荷を持つが，例えばいずれも陰イオン性染料成分であるか，またはいずれも陽イオン性染料成分である。上記実施形態において，イオン性染料成分は無色の対イオンとイオン結合型錯化されうる。
【００４１】
望ましくは，イオン結合型錯化着色剤化合物のうち無色の対イオン成分は全体着色剤中に比較的少量で存在する。上記実施形態では，大部分の着色剤が視覚的に観察される有効なカラーに実際に寄与するために，望ましい着色剤効果はそのまま持ちつつも最終の全体組成物中にはさらに少量で存在できるさらに効果的な着色剤を提供する利点が存在する。望ましい実施例では，無色の対イオン成分は銃着色剤化合物の約４０重量％未満を構成する。望ましい他の実施例では，無色の対イオン成分は全体着色剤化合物の約２０重量％未満を構成する。また他の実施例で，無色の対イオン成分は全体着色剤化合物の約１０重量％未満を構成する。
【００４２】
望ましくは，着色剤は所定の割合で錯化された第１イオン性染料及び第２イオン性染料（追加の対イオンは後述される）を持つ単一化合物であって，望ましい鮮明なカラーを達成するために各化合物自体が本質的に望ましい成分比を持つ。いくつかのイオン交換がインサイチュ（ｉｎ  ｓｉｔｕ）方式でなされるか，またはいくつかの製造工程では化合物対またはグループが形成されて化合物対が望ましい鮮明なカラーを示すということが分かる。同様に，３以上の化合物を含むグループも類似した方式で形成されて望ましい鮮明なブラックカラーを示す。本発明において，このような化合物対または化合物グループの含有量は分子レベルで考慮されるものであり，化合物対及びグループは本明細書に記載された着色剤化合物の範囲に属するように考慮される。
【００４３】
本発明のさらに他の実施形態において，イオン結合型錯化された染料と無色の対イオンとの所定の組合わせは，染料成分が一つの化合物に錯化されるかどうかに関係なく，組成物であらゆる染料成分が望ましい割合でイオン結合型配位結合されるように製造される。例えば，あらゆるイオン性成分は，組成物に含まれた各化合物が最終着色剤組成物の水及びキャリア液体に不溶性になるようにイオン結合型錯化されて，製造または使用条件下では化合物を互いに分離させない。このような着色剤組成物は追加成分を含んで製造され，本明細書に記載された化合物の用途と同じ方式で使われうる。
【００４４】
本発明の実施形態において，顔料は３以上の染料組み合わせよりなる。このようなシステムにおいて，第１イオン性染料は第１イオン性染料と反対の電荷を持つ第２染料及び第３染料と錯化されうる。例えば，第１陽イオン性染料は第２陰イオン性染料及び第３陰イオン性染料と錯化されうる。本実施形態のいて，第１イオン性染料は，イオン性染料成分に複数のイオン性作用基を含み，単一イオン性染料成分は複数の対イオンと配位結合可能になる。また，，顔料中のらゆる染料はそれぞれに対して約１０ΔＥ＊ユニット以上のカラー差を示す。着色剤の鮮明なカラーは全体着色剤組成物の３つの染料それぞれの相対的な含有量を変化させて調節できる。選択的に，一つ以上の対イオンは無色の対イオンである。着色剤組成物の鮮明なカラーは，無色の対イオンを必要量より多くまたは少なく合体させて調節できる。さらに，無色の対イオンは有機対イオンである。特に複数の染料対イオンを利用すれば，相異なる溶解性または分散性を持つことができる２以上の着色剤を単純にブレンディングすることによって観察できるカラー分離問題がほとんどまたは全く発生しないながらも高度に正確なカラーマッチングが提供される。
【００４５】
本発明に使われた陰イオン性染料は，本明細書に開示されたように陽イオン対イオンと錯化されうる陰電荷を持つ染料でありうる。本発明の一態様で，陰イオン性染料は，複数の陽イオン性対イオンと錯化されるように立体的に配置された複数の陰電荷性作用基を含む。望ましい陰イオン性染料は，一つ以上のスルホネート基，カルボキシル基及び／またはヒドロキシル塩基を含有する染料である。
【００４６】
このような陰イオン性染料の例にはフタロシアニン，アゾピラゾリン及びアントラキノン染料のスルホン酸塩及びその混合物を含むが，これに限定されない。陰イオン性染料の他の例はＡｃｉｄ  Ａｌｉｚａｒｉｎ  Ｖｉｏｌｅｔ，Ａｃｉｄ  Ｙｅｌｌｏｗ  ４０，Ａｃｉｄ  Ｒｅｄ  ４，Ａｃｉｄ  Ｂｌｕｅ  ２５，Ａｃｉｄ  Ｖｉｌｏｅｔ  ７，Ｐｈｌｏｘｉｎｅ  Ｂ，銅フタロシアニンテトラスルホン酸テトラナトリウム塩，Ｑｕｉｎｏｌｉｎｅ  Ｙｅｌｌｏｗ，Ａｃｉｄ  Ｙｅｌｌｏｗ  １７，Ｔａｒｔｒａｚｉｎｅ，Ａｌｉｚａｒｉｎ  Ｙｅｌｌｏｗ  ＧＧ，Ｒｅａｃｔｉｖｅ  Ｂｌａｃｋ  ５，Ｅｏｓｉｎ  Ｙ，Ｅｒｉｏｇｌａｕｃｉｎｅ，Ａｃｉｄ  Ｒｅｄ  ９１，Ａｃｉｄ  Ｒｅｄ  ５１及びＦｏｏｄ  Ｂｌａｃｋ１を含む。
【００４７】
本発明に使われた陽イオン性染料は本明細書に開示されたような陰イオン性対イオンと錯化されうる正電荷を持つ染料でありうる。本発明の実施形態において，陽イオン性染料は複数の陰イオン性対イオンと錯化されるように立体的に配置された複数の正電荷作用基を含む。本発明に使われる望ましい陽イオン性染料は一つ以上の４級アンモニウム基，スルホニウム基，ホスホニウム基及びオキソニウム基を含む。
【００４８】
陽イオン性染料の例はＴｅｔｒｚｏｌｉｕｍ  Ｖｉｏｌｅｔ，Ｒｈｏｄａｍｉｎｅ  Ｂ，Ｉｎｄｏｉｎｅ  Ｂｌｕｅ，Ａｕｒａｍｉｎｅ  ０及びその混合物を含むが，これに限定されない。陽イオン性染料の他の例はＣｏｌｏｒ  Ｉｎｄｅｘ  Ｂａｓｉｃ  Ｒｅｄ  １２，Ｃｏｌｏｒ  Ｉｎｄｅｘ  Ｂａｓｉｃ  Ｒｅｄ  １４，Ｃｏｌｏｒ  Ｉｎｄｅｘ  Ｂａｓｉｃ  Ｒｅｄ  ２８及びＣｏｌｏｒ  Ｉｎｄｅｘ  Ｂａｓｉｃ  Ｖｉｏｌｅｔ  １０，Ｂａｓｉｃ  Ｙｅｌｌｏｗ  １，Ａｌｃｉａｎ  Ｂｌｕｅ−テトラキス（メチルピリジウム）クロライド，Ｂａｓｉｃ  Ｂｌｕｅ  ４１及びＢａｓｉｃ  Ｒｅｄ  １よりなる群から選択される。
【００４９】
無色の対イオン成分は本明細書に開示されたような染料イオンと錯化されうる無色の対イオンでありうる。例えば，無色の対イオンは染料と配位結合できる複数の作用基を含み，複数の染料イオンが一つの無色対イオンと錯化されうる。錯化された染料が陰イオンである場合，無色の対イオンは望ましくはアルキル，アリール及びアルキル／アリール化合物の４級アンモニウム塩，スルホニウム塩，ホスホニウム塩，オキソニウム塩及びそれらの組み合わせから選択された陽イオン化合物である。錯化された染料が陽イオンである場合，無色の対イオンは望ましくはアルキル，アリール及びアルキル／アリール化合物のスルホネート，カルボキシレート，ヒドロキシル塩及びそれらの組み合わせから選択された陰イオン性化合物である。
【００５０】
本発明の実施形態において，イオン性染料は最終着色剤化合物が黄色，マゼンタ，シアンまたはブラックの鮮明なカラーを示すように選択される。カラーは伝統的な印刷方法に使われた４つのカラーである。４つのカラーの公知された組合わせまたはブレンドを使用することによって，所望のカラーをほとんど全て得られる。本発明は，４つのカラーそれぞれの安定的かつ再現可能な着色剤を供給するためのシステムを提供し，これは当業界に非常に有効なものである。
【００５１】
本発明の実施形態において，イオン性染料及び陽イオン性染料は互いに錯化される前には水溶性である。成分の溶液が混合されれば水不溶性沈殿物が形成される。選択的に，反応溶液の量を取扱いの容易なレベルに減らすために，反応組成物中の反応物の濃度が高い場合に水混和性溶媒を添加して陽イオン性成分，陰イオン性成分またはそれら全ての溶解度を増加させうる。
【００５２】
沈殿後，陽イオン性反応物と陰イオン性反応物と物理的に結合された対イオンが溶液中に存在する。沈殿物をろ過して分離し，望ましくは水でさらに洗浄して残留可溶性対イオンを除去する。このような洗浄過程は選択的に数回反復できる。この後，沈殿物を乾燥させた後，着色剤として使用できる。本発明の着色剤は水不溶性であってもよい。水不溶性のために着色剤の取扱いが容易になるだけでなく，着色剤の使用または活用時に多様な表面に対する染色量が減少する利点が提供される。
【００５３】
本発明の着色剤は複写及び印刷産業で使われるトナー用として特に適している。特に，本発明の着色剤は電子写真用湿式または乾式トナーとして使用し有効である。着色剤は望ましいトナー化学に特に適し，優れた電荷転写特性を示すトナーを得られる。電子写真プリンティング工程は，個別トナー粒子で形成された画像をある表面から他の表面に移動させる静電気的転写を利用する。このようなトナー粒子の帯電は転写工程で非常に重要である。重金属イオンでない他のイオン性染料と錯化されたイオン性染料は相異なる帯電及び転写特性を示すので，トナー転写を向上させうる。
【００５４】
複数の適したトナー樹脂がトナー組成物の一部として使われる場合，これは本発明の着色剤と統合されるように選択されうる。通常的な樹脂の例はポリアミド類，エポキシ類，ポリウレタン類，ビニル樹脂類，ポリカーボネート類，ポリエステル類及びそれらの混合物などを含む。適したビニル樹脂は単独重合体または２以上のビニル単量体の共重合体を含んで選択されうる。
【００５５】
ビニル単量体ユニットは，例えば，スチレン；ビニルナフタレン；エチレン，プロピレン，ブチレン，イソブチレンなどのエチレン系不飽和モノオレフィン類；ビニルアセテート，ビニルプロピオネート，ビニルベンゾエート，ビニルブチレートなどのビニルエステル類；ブタジエン，イソプレンなどのエチレン系不飽和ジオレフィン類；メチルアクリレート，エチルアクリレート，ｎ−ブチルアクリレート，イソブチルアクリレート，ドデシルアクリレート，ｎ−オクチルアクリレート，フェニルアクリレート，メチルメタクリレート，エチルメタクリレート，ブチルメタクリレートなどの不飽和モノカルボン酸のエステル類；アクリロニトリル；メタクリロニトリル；ビニルメチルエーテル，ビニルイソブチルエーテル，ビニルエチルエーテルなどのビニルエーテル類；ビニルメチルケトン，ビニルヘキシルケトン，メチルイソプロフェニルケトンなどのビニルケトン類；及びそれらの組み合わせを含む。
【００５６】
また，一つ以上の他の樹脂，望ましくは他のビニル樹脂とブレンディングされた多様なビニル樹脂がトナー樹脂として選択されることができ，それらは優秀な摩擦帯電性及び一定の物理的耐摩耗性を持つ。また，改質されたフェノールホルムアルデヒド樹脂類，オイル改質されたエポキシ樹脂類，ポリウレタン樹脂類，セルロース樹脂類，ポリエーテル樹脂類，ポリエステル樹脂類及びその混合物を含む非ビニル型熱可塑性樹脂類も使われうる。
【００５７】
トナーは，液体キャリアに分散されてオルガノゾルを形成する両親媒性グラフト共重合体を含んだ後，他の成分と混合されて湿式トナー組成物を形成してもよい。通常，オルガノゾルは重合可能な化合物（例えば，単量体）を非水性分散重合させて合成することによって低い誘電定数を持つ炭化水素溶媒（キャリア液体）に分散された共重合体バインダー粒子を形成する。分散された共重合体粒子は，キャリア液体によって溶媒化された立体安定化剤（例えば，グラフト安定化剤）が重合反応で形成される時に分散されたコア粒子と化学的に結合されるので，凝集に対しては立体的に安定している。
【００５８】
このような立体安定化メカニズムの詳細な事項はＮａｐｐｅｒ，Ｄ．Ｈ．，Ｐｏｌｙｍｅｒｉｃ  Ｓｔａｂｉｌｉｚａｔｉｏｎ  ｏｆ  Ｃｏｌｌｏｉｄａｌ  Ｄｉｓｐｅｒｓｉｏｎｓ，Ａｃａｄｅｍｉｃ  Ｐｒｅｓｓ，Ｎｅｗ  Ｙｏｒｋ，Ｎ．Ｙ．，１９８３に記載されている。自己安定オルガノゾルの合成方法は「Ｄｉｓｐｅｒｓｉｏｎ  Ｐｏｌｙｍｅｒｉｚａｔｉｏｎ  ｉｎ  Ｏｒｇａｎｉｃ  Ｍｅｄｉａ」，「Ｋ．Ｅ．Ｊ  Ｂａｒｒｅｔｔ，ｅｄ．，Ｊｏｈｎ  Ｗｉｌｅｙ：Ｎｅｗ  Ｙｏｒｋ，Ｎ．Ｙ．，１９７５」に記載されている。
【００５９】
湿式トナー組成物は，電子写真画像形成工程で迅速な自己定着を行う比較的低いガラス転移温度（Ｔｇ＜３０℃）を持つフィルム形成湿式トナーを製造するのに使用するために，極性及び誘電定数の低いキャリア溶媒で分散重合を利用して製造されてきた（例えば，米国特許第５，８８６，０６７号明細書及び第６，１０３，７８１号明細書参照）。オルガノゾルはまた静電気的スタイラスプリンタに使われる中間ガラス転移温度（３０℃ないし５５℃）の湿式静電気的画像形成トナーを製造するのに使用するために製造されてきた（例えば，米国特許第６，２５５，３６３Ｂ１号明細書参照）。
【００６０】
オルガノゾルを製造する代表的な非水性分散重合方法は，炭化水素媒質に可溶性の一つ以上のエチレン系不飽和単量体をあらかじめ製造された重合可能な重合体（例えば，グラフト安定化剤または「活性」重合体）溶液の存在下で重合させる場合に行われる自由ラジカル重合方法である（例えば，米国特許第６，２５５，３６３号参照）。
【００６１】
オルガノゾルを形成した後，一つ以上の添加剤が必要な場合に含まれうる。例えば，一つ以上の視覚改善添加剤及び／または帯電調節剤が含まれうる。均質化，微細流動化，ボールミリング，摩擦ミリング，高エネルギービード（サンド）ミリング，バスケットミリングまたは分散物の粒径を縮める当業界に公知の他の技術の一つ以上を混合した工程を組成物に対して行う。混合工程は凝集された視覚改善添加剤粒子が存在する場合にこれを主要粒子（０．０５〜５ミクロンの直径を持つ）に粉砕する役割をし，分散された共重合体バインダーを視覚改善添加剤の表面に物理的に結合させうる分画物に部分切断できる。
【００６２】
本発明の実施形態によれば，共重合体から由来した分散された共重合体または分画物はその後，視覚改善添加剤の表面に，例えば吸着または接着によって視覚改善添加剤と物理的に結合されてトナー粒子を形成する。これより生成された結果物は立体的に安定な非水性トナー粒子分散物であって，体積平均粒子粒径（レーザー回折器で測定）は約０．０５ミクロン〜約５０．０ミクロン，さらに望ましくは約３ミクロン〜約１０ミクロン，最も望ましくは約１．５ミクロン〜５ミクロンである。いくつかの具体例で，一つ以上の帯電制御剤が必要な場合に混合前後に添加できる。
【００６３】
湿式トナー組成物のいくつかの特性は高品質画像の提供に重要である。トナー粒径及び帯電特性は特に優秀な解像度を持つ高品質画像の形成に重要である。また，トナー粒子の迅速な自己定着は例えば，印刷欠陥（例えば，スミアリングまたは立下り区間尾引き（ｔｒａｉｌｉｎｇ−ｅｄｇｅ  ｔａｉｌｉｎｇ））及び高速印刷の不完全転写を防止するために必要な，いくつかの湿式電子写真プリンティング工程の主要条件である。例えば，低いガラス転移温度（Ｔｇ）を表すオルガノゾルトナー組成物において，画像形成工程時に形成されたフィルムは転写環境下では粘性及び弱い接着力を持つことができる。これは，画像スプリッティングまたは望ましくない残基を感光体または中間画像受容体表面に残すことができる。湿式トナー組成物製造時のまた他の主要考慮事項は最終受容体の画像耐久性及び記録保存性と関係がある。耐消去性，例えば摩擦，特に不必要な鉛筆線またはペン線を除去するのに通常的に使われる天然または合成の消ゴムによる摩擦によるトナー画像の除去または損傷に対する耐性は湿式トナー粒子の望ましい特性である。
【００６４】
液体キャリアは実質的に非水性溶媒または溶媒ブレンドである。すなわち，液体キャリアのうち少量の成分（通常的に２５重量％未満である）が水よりなっている。望ましく，実質的に非水性の液体キャリアは２０重量％未満，より望ましくは１０重量％未満，さらに望ましくは３重量％未満，最も望ましくは１重量％未満の水を含む。液体キャリアは当業界に公知の多様な材料またはそれらの組み合わせから選択されうるが，カウリブタノールナンバーが３０ｍｌ未満であることが望ましい。
【００６５】
液体キャリアは望ましくは親油性であり多様な条件下で化学的に安定したな電気絶縁性である。電気絶縁性液体とは，低い誘電定数及び高い電気抵抗性を持つ分散液を意味する。望ましく，分散液は５未満，より望ましくは３未満の誘電定数を持つ。キャリア液体の電気抵抗性は通常的に１０９Ｏｈｍ−ｃｍ以上，より望ましくは１０１０Ｏｈｍ−ｃｍ以上である。また，液体キャリアは望ましくは大部分の具体例でトナー粒子の製造に使われる成分に対して化学的に不活性である。
【００６６】
液体キャリアの例は，脂肪族炭化水素類（ｎ−ペンタン，へキサン，ヘプタンなど），シクロ脂肪族炭化水素類（シクロペンタン，シクロヘキサンなど），芳香族炭化水素類（ベンゼン，トルエン，キシレンなど），ハロゲン化された炭化水素溶媒類（塩素化されたアルカン類，フルオロ化されたアルカン類，クロロフルオロカーボン類など）シリコンオイル類及び溶媒のブレンドを含む。望ましいキャリア液体はＩｓｏｐａｒ（商標）Ｇ，Ｉｓｏｐａｒ（商標）Ｈ，Ｉｓｏｐａｒ（商標）Ｋ，Ｉｓｏｐａｒ（商標）Ｌ，Ｉｓｏｐａｒ（商標）Ｍ及びＩｓｏｐａｒ（商標）Ｖ（米国，ニュージャジー州所在，Ｅｘｘｏｎ  Ｃｏｒｐｏｒａｔｉｏｎ社製）のような分枝型パラフィン溶媒ブレンドを含み，最も望ましいキャリアはＮｏｒｐａｒ（商標）１２，Ｎｏｒｐａｒ（商標）１３及びＮｏｒｐａｒ（商標）１５（米国，ニュージャジー州所在，Ｅｘｘｏｎ  Ｃｏｒｐｏｒａｔｉｏｎ社製）のような脂肪族炭化水素溶媒ブレンドである。特に望ましいキャリア液体は約１３ないし約１５ＭＰａ１／２のヒルデブランド溶解度定数を持つ。
【００６７】
本発明のトナー組成物の液体キャリアは，望ましくは両親媒性共重合体の製造に使われた溶媒に使われた液体と同一である。また，重合反応は適当な溶媒でなされ，溶媒はトナー組成物用として望ましい液体キャリアを提供するように交換されうる。
【００６８】
本発明の着色剤以外にも他の添加剤が選択的に湿式トナー組成物にブレンディングされうる。特に望ましい添加剤は一つ以上の帯電制御剤（ＣＣＡ（Ｃｈａｒｇｅ  Ｃｏｎｔｒｏｌ  Ａｇｅｎｔ），帯電制御添加剤または電荷ディレクター）を含む。電荷ディレクターとも知られた帯電制御剤は別の成分として含まれ，及び／または両親媒性共重合体に統合されたＳ及び／またはＤ材料の一つ以上の作用部分として含まれうる。帯電制御剤はトナー粒子の帯電可能性を向上させ，及び／またはトナー粒子に電荷を付与する。トナー粒子は粒子材料と帯電制御剤との組合わせによって（＋）または（−）の電荷を得られる。
【００６９】
適当なモノマーを，共重合体を形成するのに使用する他のモノマーと共重合するか，帯電制御剤をトナー粒子と化学的に反応させるか，帯電制御剤をトナー粒子（樹脂または顔料）上に化学的または物理的に吸着させるか，または帯電制御剤をトナー粒子に含まれた作用基にキレートするような多様な方法を使用して，帯電制御剤をトナー粒子に含みうる。
【００７０】
帯電制御剤は，選択された極性の電荷をトナー粒子に付与する作用を行う。当該技術分野で記載された複数の帯電制御剤が使われうる。例えば，帯電制御剤は多価金属イオン及び対イオンである有機陰イオンよりなる金属塩の形態を有しうる。適当な金属イオンはＢａ（II），Ｃａ（II），Ｍｎ（II），Ｚｎ（II），Ｚｒ（IV），Ｃｕ（II），Ａｌ（III），Ｃｒ（III），Ｆｅ（II），Ｆｅ（III），Ｓｂ（III），Ｂｉ（III），Ｃｏ（II），Ｌａ（III），Ｐｂ（II），Ｍｇ（II），Ｍｏ（III），Ｎｉ（II），Ａｇ（Ｉ），Ｓｒ（II），Ｓｎ（IV），Ｖ（Ｖ），Ｙ（III），及びＴｉ（IV）を挙げられるが，これに制限されない。適当な有機陰イオンは脂肪族または芳香族カルボン酸またはスルホン酸，望ましくはステアリン酸，ベヘン酸，ネオデカン酸，ジイソプロピルサリチル酸，オクタン酸，アビエチン酸，ナフテン酸，ラウリル酸，トール酸（ｔａｌｌｉｃ  ａｃｉｄ）などの脂肪族脂肪酸から誘導されたカルボキシレート類またはスルホン酸塩類を含む。
【００７１】
望ましい（−）帯電制御剤はレシチン及び塩基性バリウムペトロネートである。望ましい（＋）帯電制御剤は例えば米国特許第３，４１１，９３６号明細書（本明細書に引用されて統合されている）に記載された金属カルボキシレート（石鹸）を含む。特に望ましい（＋）帯電制御剤はジルコニウムテトラオクトエート（米国のＯＨ，ＣｌｅｖｅｌａｎｄのＯＭＧ  Ｃｈｅｍｉｃａｌ  Ｃｏｍｐａｎｙ社製のＺｉｒｃｏｎｉｕｍ  ＨＥＸ−ＣＥＭとして使用可能）である。
【００７２】
与えられたトナーブレンドの望ましい帯電制御剤のレベルは重合体バインダーの組成，トナー組成物の製造に使われた顔料，バインダーと顔料との比を含む複数の因子によって左右される。また，望ましい帯電制御剤のレベルは電子写真画像形成工程の特性に左右される。帯電制御剤のレベルは当該技術分野で公示のように本願に列挙されたパラメータに基づいて調節できる。帯電制御剤の量はトナー固形分１００重量部基準に一般的に０．０１〜１０重量部，望ましくは０．１〜５重量部である。
【００７３】
湿式トナー組成物の伝導度は電子写真画像の現像時にトナーの有効性を示すのに使われうる。１ｘ１０−１１ｍｈｏ／ｃｍないし３ｘ１０−１０ｍｈｏ／ｃｍの数値範囲が当該技術分野の専門家に有利であると見なされる。高い伝導度は一般的にトナー粒子に電荷が非効率的に結合されたことを示し，これは電流密度と現像工程中に付着されたトナー間の低い関連性から分かる。低い伝導度はトナー粒子がほとんどまたは全く帯電されていないことを示すものであり，非常に低い現像速度を招く。トナー粒子上の吸着部位にマッチングされる帯電制御剤は十分の電荷が各トナー粒子と結合されるように実務上使用するものである。
【００７４】
他の添加剤も従来の実務によってトナー組成物に添加されうる。添加剤は一つ以上のＵＶ安定化剤，防黴剤，殺細菌剤，殺真菌剤，帯電防止剤，光沢改質剤，他の重合体またはオリゴマー材料，酸化防止剤などを含む。
【００７５】
生成された帯電されたトナー粒子の粒子サイズはこのような粒子を含むトナー組成物の画像形成，定着，解像度及び転写特性に影響を与えることもある。望ましくは，トナー粒子の体積平均粒径（レーザー回折法で測定）は約０．０５〜約５０．０ミクロン，さらに望ましくは約３〜約１０ミクロン，最も望ましくは約１．５〜約５ミクロンである。
【００７６】
上述したように，静電気的プリンティングで潜像は通常的に（１）選択された領域の要素のうち誘電要素（通常的には受容基材である）上に静電気的書込みスタイラスまたはその等価物を利用して電荷画像を位置させて電荷画像を形成し，（２）トナーを電荷画像に加えた後，（３）トナー画像を定着させることによって形成される。このような類型の工程の一例は米国特許第５，２６２，２５９号明細書に記載されている。本発明によって形成された画像は単一カラーまたは複数のカラーでありうる。マルチカラー画像は帯電及びトナー塗布過程を反復して形成できる。
【００７７】
電子写真法で，静電気的画像は，（１）電圧を加えて感光性要素を均一に帯電させ，（２）照射源で感光性要素の一部を露光及び放電させて潜像を形成し，（３）潜像にトナーを塗布してトナー画像を形成し，（４）トナー画像を一つ以上の段階によって最終受容体シートに転写することによって，感光性要素でコーティングされたドラムまたはベルト上に通常的に形成される。いくつかの用途において，加圧及び加熱されたローラまたは当業界に公示されている他の定着手段を利用してトナー画像を定着させることが望ましい。
【００７８】
本明細書に記載されているあらゆる特許，特許文献及び特許公報は引用されてそれぞれ記載されている。他の言及がない限り，あらゆる部及び％は重量単位であり，あらゆる分子量は重量平均分子量である。詳細に説明された本発明の基材はこれを明確に理解するためのものであり，これによって本発明は制限されない。本発明は本明細書に記載された詳細な事項によって限定されず，特許請求の範囲に含まれるように当業者によって変形されうる。
【産業上の利用可能性】
【００７９】
本発明のイオン結合型錯化着色剤化合物は，着色剤組成物に効果的に含まれてインク，トナーとして使われて，電子記録法，電子写真法及び静電気的方法と関連した分野で有効に使われうる。